(57)【特許請求の範囲】
【請求項１】
空調機器により空調空気が導入されている正圧室から排気される空調空気をトイレ室内に直接導入し、この空調空気をトイレ室内の個室にダクトを介して分岐供給することにより個別空調をなすことを特徴とするトイレ室内個別空調方法。
【請求項２】
前記トイレ室内に強制排気経路を接続してトイレ室内を負圧に設定することを特徴とする請求項１に記載のトイレ室内空調方法。
【請求項３】
空調対象としているトイレ室内と空調機器により空調空気が導入されている正圧室をパスダクトにより直接接続し、前記トイレ室内に設けられている個室に開口する吹出口を備えた個室用ダクトを配設し、前記個室用ダクトと前記パスダクトとを接続して、空調された空気により前記個室を個別に空調することを特徴とするトイレ室内個別空調装置。
【請求項４】
前記パスダクトにはチャッキダンパを設けたことを特徴とする請求項３に記載されたトイレ室内空調装置。
【請求項５】
前記個室用ダクトはトイレ室内に設けられた個室を構成するパネル本体内部に形成したことを特徴とする請求項３または４に記載されたトイレ室内空調装置。
【請求項６】
前記個室用ダクトはトイレ室内に設けられた個室を構成するパネルの外面部に取り付けられ、個室内に吹出口を設けたことを特徴とする請求項３または４に記載されたトイレ室内空調装置。
【請求項７】
前記個室用ダクトはトイレ室内に設けられた個室に備えられている配管スペースに配設したことを特徴とする請求項３または４に記載されたトイレ室内空調装置。
【発明の詳細な説明】
【０００１】
【発明の属する技術分野】
本発明はトイレ室内個別空調方法および空調装置に係り、特に建屋内の各部屋の空調を行なうと同時にトイレ室内を有効に空調できるようにしたトイレ室内個別空調方法および空調装置に関する。
【０００２】
【従来の技術】
従来のトイレ空調方式を図５を用いて説明する。建屋の中に形成されている部屋は空調機器によって空調空気が導入され、同じ部屋の天井部に形成された排気口から外部に排気されて空調機器側に戻される。空調された室内はサプライダクト２を通じて空調機１と接続され、排気ダクト３を通じ外部と接続されるようになって通常の空調を行なうようにしているが、この部屋には廊下側にガラリ４が設けられて空調空気の一部を廊下に排気するようになっている。一方、トイレ室は一部に排気ファン５を設けた排気ダクト６を通じて外部と接続され、廊下側にガラリ７が設けられている。したがって、トイレ室は積極的に空調を行なっていないが、換気のためにトイレ室内空気が排気されているため、空調された部屋からガラリ４を通じて一旦廊下に排気された空気が間接的にトイレ室にやはりガラリ７を通じて導入され、これがトイレの空調に利用されている。
【０００３】
すなわち、空気の流れは次のようになる。まず空調機１からサプライダクト２を通じて、空調された空気が室内に供給される。このとき空調された空気は圧送されるため、室内は周囲と比べて正圧になっている。この圧力差によって空調された空気の一部はガラリ４から廊下へ流出する。トイレ室内圧はトイレ室に接続されている排気ファン５により強制的に低くされているため、廊下へ流出した空気の一部はガラリ７よりトイレ室内へ取り入れられる。この空気によりトイレ室内の空調が行われ、トイレ室内の空気は吸込口８から排気ダクト６を通り、排気ファン５を経由して外部に放出される。
【０００４】
【発明が解決しようとする課題】
しかしながら従来のトイレ室の空調方法では、室内から流出した空気は廊下で熱損失を受ける。このため、トイレ室内へ引き込まれた空気は換気のみでしか利用することができず、トイレ室内を適正な温度条件で空調することができない。
【０００５】
また、トイレ室内に引き込まれた空気は吸込口に直線的に向かうため、トイレ室内の空気の循環が非常に悪く、パネルで仕切られた大便器廻りの個室は空調がほとんどされていない。そのために利用の際、不快感を生ずるという問題があった。
【０００６】
ここに本発明の目的はトイレ室内を効率的に空調し、トイレ室内に設けられた個室も有効に空調することができるトイレ室内個別空調方法および空調装置を提供することにある。
【０００７】
【課題を解決するための手段】
上記目的を達成するために、本発明に係るトイレ室内個別空調方法においては、空調機器により空調空気が導入されている室とトイレ室を連結する直通経路を設けて室内空気を直接導入し、この空調空気をトイレ室内の個室にダクトを介して分岐させることにより前記個室を個別に空調する構成とした。また、前記トイレ室内に強制排気経路を接続してトイレ室内の圧力を負圧に設定することにより、前記室内とトイレ室内の圧力差を増大させることにより室内空気を効率的に取り込むよう構成した。
【０００８】
本発明に係るトイレ室内個別空調装置は、空調機器により空調空気が導入されている正圧室とトイレ室をパスダクトで直接接続し、前記トイレ室内に設けられている個室に開口する吹出口を備えた個室用ダクトを配設して、前記個室用ダクトと前記パスダクトとを接続した構成としたものである。また、前記トイレ室内個別空調装置において外部への強制排気経路を前記トイレ室内に形成しトイレ室に接続させた構成としたものである。さらに、前記パスダクトの一部にはチャッキダンパを設ける構成とした。なお、前記トイレ室内空調装置において前記個室用ダクトはトイレ室内に設けられた個室を構成するパネル本体内部に形成した構成とすることができる。あるいは、前記トイレ室内空調装置において前記個室用ダクトはトイレ室内に設けられた個室を構成するパネルの外面部に取り付けられ、個室内に吹出口を設けた構成とすることができる。もしくは前記トイレ室内空調装置前記個室用ダクトはトイレ室内に設けられた個室に備えられている配管スペースに配設した構成としてもよい。
【０００９】
【発明の実施の形態】
以下に本発明に係るトイレ室内個別空調方法の具体的実施形態について、図面を参照して詳細に説明する。
図１は本発明の実施形態を示す系統図である。空調が行われる部屋１０の天井部には空気の吹出口１２や吸込口１４が設けられている。吹出口１２はサプライダクト１６により空調機１８と接続されている。吸込口１４は排気ダクト２０に接続され、この排気ダクト２０は途中で分岐されている。分岐された排気ダクト２０の一方は空調機１８と、他方は排気ファン２２にそれぞれ接続されている。空調が行われる室内圧は空調機１８からの圧送空気により正圧に保持され、空調が行われる部屋１０はいわゆる正圧室となる。
【００１０】
空調される正圧室１０の天井部には前記空調機１８を含む循環経路にある吸込口１４とは別に吸込口２４を設けている。この吸込口２４は正圧室１０にて温度調整に用いられた空調空気を取り込み、空調機１８による空調対象となっていないトイレ室２６の空調に供させるようにしている。このため、前記吸込口２４にはパスダクト２８が接続され、このパスダクト２８をトイレ室２６の天井部まで導き、トイレ室２６天井に接続開口させている。前記パスダクト２８はトイレ室２６に向かう途中で分岐しており、一方はトイレ室２６天井部に設けられて室内全体に導入空気を吹出させるための吹出口３０に接続され、他方はトイレ室内の個室を個別に空調するため、個室内に設けられた個室用ダクト３４に接続されている。
【００１１】
トイレ室内の個別空調装置の第一実施形態を図２に示す。この実施形態では、上記トイレ室２６の各個室を空調するために、個室を形成するために設置されているパネル３２を通じて空調空気を個室内に導入するようにしている。このため、トイレ室２６内において個室を形成しているパネル３２の平面に沿って上下方向に延在する空気通路を個別に設置し、これを個室用ダクト３４としている。この個室用ダクト３４はパネル３２内の充填材を除去することにより形成され、足元付近に吹出口３６を開口したものとなっている。この個室用ダクト３４と前記パスダクト２８が接続されることにより、トイレ室２６内を個別に空調することができる。また、この実施形態においてパネル３２は個別に製作することができる。そのため、トイレ室２６内に個々の設置が可能で、安価なコストで個別空調を行うことができる。
【００１２】
一方、トイレ室２６天井部にはトイレ室２６内の空気を排出する経路として吸込口３８が設けられ、排気ダクト４０によって排気ファン４２を経由し外部に設けられたガラリ４４と接続されている。
【００１３】
なお、トイレ室２６内の空気が前記正圧室１０へ逆流することを防止するため、パスダクト２８において逆流経路を遮蔽する領域にチャッキダンパ４６が設けられている。また、ダクト内の空気の流量を調節するため、サプライダクト１６以外のダクト上にボリュームダンパ４８、５０、５２、５４が設置された構成となっている。
【００１４】
以上のような構成のもとでは、トイレ室２６内の個別空調は以下のように行われる。すなわち、空調機１８からサプライダクト１６を通じて空調された空気が室内１０の吹出口１２より圧送されるため、室内は正圧となる。室内を空調した余剰の空気は、一部吸込口１４より排気ダクト２０を通じ排気ファン２２や空調機１８に送られる。しかしトイレ室と正圧室との圧力差のため、吸込口２４よりパスダクト２８を通じてトイレ室２６内へ直接流入する。このため、従来よりも空調された空気の熱損失を低減してトイレ室２６内へ送り込むことができる。送り込まれた空気はトイレ室２６内天井部の吹出口３０より流入し、トイレ室２６内全体を空調する。また、パスダクト２８からパネルダクト３４へ送られた空気は足元付近の吹出口３６より流入し、個室内を個別に空調する。トイレ室２６内を空調した空気は、トイレ室２６天井部の吸込口３８より排気ダクト４０を通じ、排気ファン４２を経由してガラリ４４より外部へ放出される。ところで排気ファン４２によりトイレ室２６内の圧力を小さくできるため、空調された部屋１０との圧力差が増大することとなり、空調空気をトイレ室２６内へ積極的に取り込む効果が生ずる。
【００１５】
またパスダクト２８に取り付けられたチャッキダンパ４６により、トイレ室２６内の圧力が何らかの作用で増大した場合にも、トイレ室２６内の空気がパスダクト２８を通じて正圧室１０へ逆流することを防止する効果をもつ。さらに、空調された正圧室１０とトイレ室２６内はパスダクト２８により直結されているため、部屋１０側の排気ファン２２の負担をトイレ室側の排気ファン４２の能力分だけ減少させることが可能となる。
【００１６】
なお、それぞれのダクト２０、２８、４０に設置されたボリュームダンパ４８、５０、５２、５４により空気の風量調節が行われることにより、所望の空調を行うことができる。
【００１７】
図３にトイレ室内個別空調装置の第二実施形態を示す。この実施形態では足元に吹出口５６を設けた個室用ダクト５８を従来のパネル６０に接着し、一体化させて前記パスダクト２８と接続したものである。この実施形態においては新たにパネルを使用せず、従来のパネルを用いているため、安価なコストでトイレ室内の個別空調を行える効果がある。
【００１８】
図４にトイレ室内個別空調装置の第三実施形態を示す。この実施形態では大便器後方のライニング６２を天井まで延長させる。また、前記ライニング６２内に足元に吹出口６４を設けた個室用ダクト６６を配設する。そして前記個室用ダクト６６に前記パスダクト２８を接続した構成となっている。この実施形態においては従来使用されているスペースに空調経路を設けているため新たにスペースを設ける必要がなく、コストを低減させてトイレ室内の個別空調を行える効果がある。
【００１９】
【発明の効果】
以上説明したように、本発明は空調空気の導入されている正圧室とトイレ室をパスダクトで連結することにより正圧室の空調された空気をトイレ室内に直接送り込める効果がある。さらに、トイレ室内の個室に配設された個室用ダクトと前記パスダクトを連結しているため、個室内を個別に空調する効果がある。
【００２０】
また、強制排気経路を用いてトイレ室内と正圧室との圧力差を増大させることにより、正圧室内の空調された空気を積極的に取り入れる効果がある。そして、前記パスダクトにチャッキダンパを設けることにより、トイレ室内空気の圧力が何らかの原因で高くなった場合にもトイレ室内の空気が正圧室へ逆流する事態を防止する効果がある。
【図面の簡単な説明】
【図１】本発明の実施例を示す系統図である。
【図２】本発明の実施例を示す個室用ダクトとパスダクトとの接続を示す斜視図である。
【図３】本発明の変形例を示す従来のパネルと個室用ダクト斜視図である。
【図４】本発明の変形例を湿すライニングと隠蔽した個室用ダクトの斜視図である。
【図５】従来方法の系統図である。
【符号の説明】
１          空調機
２          サプライダクト
３          排気ダクト
４          ガラリ
５          排気ファン
６          排気ダクト
７          ガラリ
８          吸込口
１０        正圧室
１２        吹出口
１４        吸込口
１６        サプライダクト
１８        空調機
２０        排気ダクト
２２        排気ファン
２４        吸込口
２６        トイレ室
２８        パスダクト
３０        吹出口
３２        パネル
３４        個室用ダクト
３６        吹出口
３８        吸込口
４０        排気ダクト
４２        排気ファン
４４        ガラリ
４６        チャッキダンパ
４８        ボリュームダンパ
５０        ボリュームダンパ
５２        ボリュームダンパ
５４        ボリュームダンパ
５６        吹出口
５８        個室用ダクト
６０        従来のパネル
６２        ライニング
６４        吹出口
６６        個室用ダクト
【図１】
0003823539.tif 000002
【図２】
0003823539.tif 000003
【図３】
0003823539.tif 000004
【図４】
0003823539.tif 000005
【図５】
0003823539.tif 000006